(57)【要約】【課題】版交換支援システム及び版交換支援システムに用いる表示装置において、版交換作業の作業性の向上を図る。【解決手段】印刷ユニットＵ１，Ｕ２，Ｕ３，Ｕ４，Ｕ５の形式情報と版胴４１ａ，４１ｂ，４２ａ，４２ｂ，４３ａ，４３ｂ，４４ａ，４４ｂに装着される刷版７１の製版情報と刷版７１の版交換情報に基づいて版交換作業実施中エリアと版交換作業可能エリアと版交換作業実施不能エリアとを判定する制御装置（判定部）１０１と、制御装置１０１の判定結果を表示する表示装置（表示部）１０４とを備える。【選択図】図１
2018140532.tif 000002
【特許請求の範囲】
【請求項１】
版胴及び版交換装置を備える印刷ユニットが鉛直方向または水平方向に並んで複数並んで配置されるオフセット輪転印刷機において、
前記印刷ユニットの形式情報と前記版胴に装着される刷版の製版情報と刷版の版交換情報に基づいて版交換作業実施中エリアと版交換作業可能エリアと版交換作業実施不能エリアとを判定する判定部と、
前記判定部の判定結果を表示する表示部と、
を備えることを特徴とする版交換支援システム。
【請求項２】
前記印刷ユニットが表裏を同時に印刷可能で、且つ、１つの駆動装置により表裏印刷用の各版胴を駆動回転可能である方式であり、表印刷用の版胴と裏印刷用の版胴の一方の版胴の版交換作業を実施するとき、前記判定部は、一方の版胴の版交換作業で使用されるエリアを前記版交換作業実施中エリアと判定し、他方の版胴の版交換作業で使用されるエリアを前記版交換作業実施不能エリアと判定することを特徴とする請求項１に記載の版交換支援システム。
【請求項３】
前記版交換作業実施不能エリアは、隣接する前記印刷ユニットが版交換作業を実施中であって機械的に版交換作業を実施できない版交換作業機械的実施不能エリアと、１つの版胴に取付ける刷版が製作されていない版交換作業未製版実施不能エリアとを有することを特徴とする請求項１または請求項２に記載の版交換支援システム。
【請求項４】
前記版交換作業可能エリアは、隣接する前記印刷ユニットが版交換作業を実施中ではなく、且つ、１つの版胴に取付ける刷版が全て製作済であるエリアであることを特徴とする請求項１から請求項３のいずれか一項に記載の版交換支援システム。
【請求項５】
前記版交換作業可能エリアは、隣接する前記印刷ユニットが版交換作業を実施中ではなく、且つ、１つの版胴に取付ける刷版が予め設定された刷版以外は全て製作済であるエリアであることを特徴とする請求項１から請求項３のいずれか一項に記載の版交換支援システム。
【請求項６】
前記表示部は、ディスプレイであり、前記版交換作業実施中エリアと前記版交換作業可能エリアと前記版交換作業実施不能エリアを識別表示することを特徴とする請求項１から請求項５のいずれか一項に記載の版交換支援システム。
【請求項７】
前記表示部は、前記版交換作業実施中エリアと前記版交換作業可能エリアと前記版交換作業実施不能エリアを表示する第１表示部と、１つの版胴における刷版の交換状況を表示する第２表示部とを有することを特徴とする請求項６に記載の版交換支援システム。
【請求項８】
前記第２表示部は、前記版交換作業実施不能エリアが前記版交換作業可能エリアに変更される時間を予測表示することを特徴とする請求項７に記載の版交換支援システム。
【請求項９】
前記表示部は、前記版交換作業可能エリアにおける版交換作業の作業順位を表示する第３表示部を有することを特徴とする請求項７に記載の版交換支援システム。
【請求項１０】
前記版交換装置を駆動する制御装置を備え、前記制御装置は、前記版交換作業可能エリアにおける次の作業順位の版交換準備作業を開始することを特徴とする請求項８または請求項９に記載の版交換支援システム。
【請求項１１】
前記表示部は、複数の前記印刷ユニットに設けられる表示ランプであり、前記版交換作業実施中エリアと前記版交換作業可能エリアと前記版交換作業実施不能エリアを点灯状態により表示することを特徴とする請求項１から請求項１０のいずれか一項に記載の版交換支援システム。
【請求項１２】
版胴及び版交換装置を備える印刷ユニットが鉛直方向または水平方向に並んで複数並んで配置されるオフセット輪転印刷機において、
前記印刷ユニットの版交換を実施している版交換作業実施中エリアと、
隣接する前記印刷ユニットが版交換作業を実施中であるかまたは１つの版胴に取付ける刷版が全て製作されていない版交換作業実施不能エリアと、
隣接する前記印刷ユニットが版交換作業を実施中ではなく且つ１つの版胴に取付ける刷版が全て製作済である版交換作業可能エリアと、
を表示することを特徴とする版交換支援システムに用いる表示装置。
【発明の詳細な説明】
【技術分野】
【０００１】
本発明は、印刷機に支持された版胴に対して刷版を交換するときに用いられる版交換支援システム、この版交換支援システムに用いられる表示装置に関するものである。
【背景技術】
【０００２】
例えば、新聞用オフセット輪転印刷機は、給紙装置と印刷装置とウェブパス装置と折機とから構成されている。そして、印刷装置は、複数の印刷ユニットを有し、各印刷ユニットは、対応するウェブに対して印刷を行う。そして、印刷ユニットは、インキ供給源と、複数のローラを用いてインキを供給するインキ供給装置と、刷版が装着された版胴と、インキ（画像）を印刷紙に転写するフランケット胴を備えている。
【０００３】
この印刷ユニットでは、印刷物に応じて複数の刷版が製作され、一つの版胴に対して印刷に必要な複数の刷版が装着されて印刷が実施される。そのため、Ａ新聞が所定部数だけ印刷されると、次に、Ｂ新聞を印刷するために版交換を行う。即ち、作業者は、版胴に装着されたＡ新聞用の刷版を取外し、この版胴にＢ新聞用の刷版を装着する。この場合、刷版は、印刷情報を用いて製版装置により製作され、製作された刷版は、例えば、刷版ラックに収容される。作業者は、刷版ラックから刷版を取り出し、この版交換作業を実施する。
【先行技術文献】
【特許文献】
【０００４】
【特許文献１】特開２０００−１５３６００号公報
【発明の概要】
【発明が解決しようとする課題】
【０００５】
上述した印刷ユニットは、ウェブに対して同時に表裏の印刷を実施することかから、ウェブに対する表側の印刷ユニットと裏側の印刷ユニットとが対向して配置されており、表側の印刷ユニットと裏側の印刷ユニットとを同時に版交換することができない。ところが、表裏の各印刷ユニットに対する版交換作業の作業エリアが相違していることから、作業者は、各印刷ユニットにおける現状の版交換状況を確認しながら各種の作業を行わなければならず、版交換の作業効率が良くなく、版交換作業に長時間を要してしまうおそれがある。版交換作業を支援するものとして、例えば、上記特許文献１に記載されたものがあるが、作業者は、版交換作業時に作業エリアが干渉してしまうおそれがある。
【０００６】
本発明は、上述した課題を解決するものであり、版交換作業の作業性の向上を図る版交換支援システム及び版交換支援システムに用いる表示装置を提供することを目的とする。
【課題を解決するための手段】
【０００７】
上述の目的を達成するための本発明の版交換支援システムは、版胴及び版交換装置を備える印刷ユニットが鉛直方向または水平方向に並んで複数並んで配置されるオフセット輪転印刷機において、前記印刷ユニットの形式情報と前記版胴に装着される刷版の製版情報と刷版の版交換情報に基づいて版交換作業実施中エリアと版交換作業可能エリアと版交換作業実施不能エリアとを判定する判定部と、前記判定部の判定結果を表示する表示部と、を備えることを特徴とするものである。
【０００８】
従って、判定部が版交換作業実施中エリアと版交換作業可能エリアと版交換作業実施不能エリアとを判定し、表示部がこの判定部の判定結果を表示することとなり、作業者は、この表示部を見て版交換作業可能エリアに対応する印刷ユニットを確認し、この印刷ユニットに対する版交換を実施する。その結果、作業者は、複数の印刷ユニットの状況を確認する必要がなく、表示部を見るだけで版交換を実施する印刷ユニットを確認することができ、版交換作業の作業性の向上を図ることができる。
【０００９】
本発明の版交換支援システムでは、前記印刷ユニットが表裏を同時に印刷可能で、且つ、１つの駆動装置により表裏印刷用の各版胴を駆動回転可能である方式であり、表印刷用の版胴と裏印刷用の版胴の一方の版胴の版交換作業を実施するとき、前記判定部は、一方の版胴の版交換作業で使用されるエリアを前記版交換作業実施中エリアと判定し、他方の版胴の版交換作業で使用されるエリアを前記版交換作業実施不能エリアと判定することを特徴としている。
【００１０】
従って、スタック駆動方式の場合、表裏の一方の印刷ユニットで版交換作業が実施されているとき、表裏の他方の印刷ユニットの版交換作業で使用されるエリアを版交換作業実施不能エリアと判定することから、機械的に版交換を実施できない印刷ユニットに対応する作業エリアを使用不能として十分な安全性を確保することができる。
【００１１】
本発明の版交換支援システムでは、前記版交換作業実施不能エリアは、隣接する前記印刷ユニットが版交換作業を実施中であって機械的に版交換作業を実施できない版交換作業機械的実施不能エリアと、１つの版胴に取付ける刷版が全て製作されていない版交換作業未製版実施不能エリアとを有することを特徴としている。
【００１２】
従って、機械的に版交換作業を実施できない版交換作業機械的実施不能エリアに加えて、刷版が製作されていない版交換作業未製版実施不能エリアを表示することから、作業者は、全ての刷版が製作されるまで、他の各種作業を行うことができ、１つの版胴に対して複数回の版交換作業を行うことがなく、版交換作業の作業性を向上することができる。
【００１３】
本発明の版交換支援システムでは、前記版交換作業可能エリアは、隣接する前記印刷ユニットが版交換作業を実施中ではなく、且つ、１つの版胴に取付ける刷版が全て製作済であるエリアであることを特徴としている。
【００１４】
従って、機械的に版交換作業を実施できるだけでなく刷版が全て製作済である印刷ユニットに対応するエリアを版交換作業可能エリアとして表示することから、作業者は、効率良く版交換作業を行うことができる。
【００１５】
本発明の版交換支援システムでは、前記版交換作業可能エリアは、隣接する前記印刷ユニットが版交換作業を実施中ではなく、且つ、１つの版胴に取付ける刷版が予め設定された刷版以外は全て製作済であるエリアであることを特徴としている。
【００１６】
従って、機械的に版交換作業を実施できるだけでなく１つの版胴に取付ける刷版が予め設定された刷版以外は全て製作済である印刷ユニットに対応するエリアを版交換作業可能エリアとして表示することから、作業者は、新聞のトップニュースなどの最終面以外の刷版を先に版交換することができるため、無駄な待ち時間が無く、効率良く版交換作業を行うことができる。
【００１７】
本発明の版交換支援システムでは、前記表示部は、ディスプレイであり、前記版交換作業実施中エリアと前記版交換作業可能エリアと前記版交換作業実施不能エリアを識別表示することを特徴としている。
【００１８】
従って、版交換作業実施中エリアと版交換作業可能エリアと版交換作業実施不能エリアがディスプレイに色などで識別表示されることから、視認性を向上することができる。
【００１９】
本発明の版交換支援システムでは、前記表示部は、前記版交換作業実施中エリアと前記版交換作業可能エリアと前記版交換作業実施不能エリアを表示する第１表示部と、１つの版胴における刷版の交換状況を表示する第２表示部とを有することを特徴としている。
【００２０】
従って、第２表示部に版胴における複数の刷版の交換状況が表示されることから、作業者は、版交換を行う刷版の枚数を確認することで、作業性を向上することができる。
【００２１】
本発明の版交換支援システムでは、前記第２表示部は、前記版交換作業実施不能エリアが前記版交換作業可能エリアに変更される時間を予測表示することを特徴としている。
【００２２】
従って、第２表示部に前記版交換作業実施不能エリアが前記版交換作業可能エリアに変更される時間が予測表示されることから、作業者は、予測時間に合せて次の版交換作業の準備を開始することができるため、作業性を向上することができる。
【００２３】
本発明の版交換支援システムでは、前記表示部は、前記版交換作業可能エリアにおける版交換作業の作業順位を表示する第３表示部を有することを特徴としている。
【００２４】
従って、前記表示部は、前記版交換作業可能エリアにおける版交換作業の作業順位が表示されることから、作業者は、ガイダンスに合せて印刷ユニット内を移動することで、より効率的に版交換作業を行うことができる。
【００２５】
本発明の版交換支援システムでは、前記版交換装置を駆動する制御装置を備え、前記制御装置は、前記版交換作業可能エリアにおける次の作業順位の版交換準備作業を開始することを特徴としている。
【００２６】
従って、版交換作業中に次の作業順位の版胴について版交換準備作業が開始されることから、より効率的に版交換作業を行うことができる。
【００２７】
本発明の版交換支援システムでは、前記表示部は、複数の前記印刷ユニットに設けられる表示ランプであり、前記版交換作業実施中エリアと前記版交換作業可能エリアと前記版交換作業実施不能エリアを点灯状態により表示することを特徴としている。
【００２８】
従って、作業者は、各印刷ユニットに設けられる表示ランプの点灯状態により版交換作業実施中エリアと版交換作業可能エリアと版交換作業実施不能エリアを確認することができ、どの位置からでも版交換作業可能エリアを知ることができ、作業性を向上することができる。
【００２９】
また、本発明の版交換支援システムに用いる表示装置は、版胴及び版交換装置を備える印刷ユニットが鉛直方向または水平方向に並んで複数並んで配置されるオフセット輪転印刷機において、前記印刷ユニットの版交換を実施している版交換作業実施中エリアと、隣接する前記印刷ユニットが版交換作業を実施中であるかまたは１つの版胴に取付ける刷版が全て製作されていない版交換作業実施不能エリアと、隣接する前記印刷ユニットが版交換作業を実施中ではなく且つ１つの版胴に取付ける刷版が全て製作済である版交換作業可能エリアと、を表示することを特徴とするものである。
【００３０】
従って、作業者は、この表示装置の画面を見て版交換作業可能エリアに対応する印刷ユニットを確認し、この印刷ユニットに対する版交換を実施する。その結果、作業者は、複数の印刷ユニットの状況を確認する必要がなく、表示部を見るだけで版交換を実施する印刷ユニットを確認することができ、版交換作業の作業性の向上を図ることができる。
【発明の効果】
【００３１】
本発明の版交換支援システム及び版交換支援システムに用いる表示装置によれば、版交換作業の作業性の向上を図ることができる。
【図面の簡単な説明】
【００３２】
【図１】図１は、本実施形態の版交換支援システムを表す制御ブロック構成図である。
【図２】図２は、本実施形態の版交換支援システムに用いる表示装置を表す概略図である。
【図３】図３は、版交換支援システムに用いる表示装置における印刷ユニットの表示状態を表す概略図である。
【図４】図４は、本実施形態の版交換支援システムに用いる表示装置の第１変形例を表す概略図である。
【図５】図５は、本実施形態の版交換支援システムに用いる表示装置の第２変形例を表す概略図である。
【図６】図６は、新聞用オフセット輪転印刷機を表す概略構成図である。
【図７】図７は、新聞用オフセット輪転印刷機における印刷ユニットを表す概略構成図である。
【図８】図８は、版締め装置を表す概略図である。
【図９】図９は、版締め装置における版取外し動作を表す概略図である。
【発明を実施するための形態】
【００３３】
以下に添付図面を参照して、本発明に係る版交換支援システム及び版交換支援システムに用いる表示装置の好適な実施形態を詳細に説明する。なお、この実施形態により本発明が限定されるものではなく、また、複数の実施形態がある場合には、各実施形態を組み合わせて構成するものも含むものである。
【００３４】
まず、本実施形態の新聞用オフセット輪転印刷機の構成の一例を簡単に説明する。図６は、新聞用オフセット輪転印刷機を表す概略構成図、図７は、新聞用オフセット輪転印刷機における印刷ユニットを表す概略構成図である。
【００３５】
第１実施形態において、図６に示すように、印刷機Ｐは、給紙装置Ｒと、インフィード装置Ｉと、印刷装置Ｕと、ウェブパス装置Ｄと、折機Ｆとから構成されている。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有している。
【００３６】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００３７】
給紙装置Ｒにおいて、給紙ユニットＲ１〜Ｒ７は、ほぼ同様の構成をなし、ウェブＷがロール状に巻かれた３つの巻取紙を保持する保持アームを有し、この保持アームを回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００３８】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００３９】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。
【００４０】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００４１】
即ち、各印刷ユニットＵ１〜Ｕ３で印刷が施された各ウェブＷは、ウェブパスユニットＤ１にて、スリッタＤ１１により縦裁断され、ターンバーＤ１２により搬送経路が変更され、コンペンセータＤ１３により搬送位置が調整されてから所定の順番に重ね合わされる。また、印刷ユニットＵ４〜Ｕ６で印刷が施された各ウェブＷは、ウェブパスユニットＤ２にて、スリッタＤ１１により縦裁断され、ターンバーＤ１２により搬送経路が変更され、コンペンセータＤ１３により搬送位置が調整されてから所定の順番に重ね合わされる。
【００４２】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。
【００４３】
ここで、印刷装置Ｕにおける印刷ユニットＵ１について詳細に説明する。なお、他の各印刷ユニットＵ２〜Ｕ６もほぼ同様の構成となっている。
【００４４】
印刷ユニットＵ１は、図７に示すように、４色印刷が可能となるように、Ｈ型のタワーユニットとなっている。この印刷ユニットＵ１は、ウェブＷの搬送方向が鉛直方向における上方となっており、下から上に向かって、墨（Black）、藍（Cyan）、紅（Magenta）、黄（Yellow）ごとの４つのスタック２１，２２，２３，２４が配置されて構成されている。各スタック２１，２２，２３，２４は、それぞれ左右対称となるローラ配列となっている。
【００４５】
各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００４６】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に沿って並べて装着可能となっている。また、鉛直方向における上方向に沿ったウェブＷの搬送経路に対して、左側が表面印刷を行う表面印刷ユニットであり、右側が裏面印刷を行う裏面印刷ユニットである。
【００４７】
ところで、各印刷ユニットＵ１〜Ｕ６にて、版胴４１ａ，４１ｂ，４２ａ，４２ｂ，４３ａ，４３ｂ，４４ａ，４４ｂは、外周面に刷版が装着されており、この刷版は、印刷物に応じて複数枚が製作され、版胴４１ａ，４１ｂ，４２ａ，４２ｂ，４３ａ，４３ｂ，４４ａ，４４ｂに対して印刷に必要なものが装着される。そのため、各印刷ユニットＵ１〜Ｕ６は、版胴４１ａ，４１ｂ，４２ａ，４２ｂ，４３ａ，４３ｂ，４４ａ，４４ｂの外周面に刷版を巻き付けて固定するための版締め装置を装備している。
【００４８】
以下、版締め装置について説明するが、ここでは、印刷ユニットＵ１におけるスタック２１の版胴４１ａに装着された版締め装置について説明する。図８は、版締め装置を表す概略図、図９は、版締め装置における版取外し動作を表す概略図である。
【００４９】
図８に示すように、版胴４１ａは、円筒状をなす外周面に刷版７１が巻き付けられる。版胴４１ａは、外周部に軸方向に沿って溝形状をなすギャップ部７２が形成され、ギャップ部７２の周方向における一端部にエッジ部分が鋭角に尖った咥え部７２ａが形成され、他端部にエッジ部分が鋭角に尖った咥え尻部７２ｂが形成されている。一方、刷版７１は、長手方向（巻付方向、版胴４１ａの周方向）における一端部に端部が鋭角に屈曲した咥え側端部７１ａが形成され、他端部に端部がほぼ直角に屈曲した咥え尻側屈曲部７１ｂと、咥え尻側屈曲部７１ｂからほぼ直角に屈曲した咥え尻側端部７１ｃが形成されている。
【００５０】
刷版７１は、咥え側端部７１ａが版胴４１ａのギャップ部７２内に浸入し、咥え部７２ａに当接して係止されている。また、刷版７１は、咥え尻側屈曲部７１ｂ及び咥え尻側端部７１ｃが版胴４１ａのギャップ部７２内に浸入し、咥え尻側端部７１ｃが版締め装置７３に係止されている。版締め装置７３は、版胴４１ａの軸方向に沿ってギャップ部７２内に配置されたテンションバー７４を有している。テンションバー７４は、ギャップ部７２内に回転自在に設けられており、外周部に係止爪７４ａが突出して形成され、この係止爪７４ａが刷版７１の咥え尻側端部７１ｃに係脱可能となっている。また、テンションバー７４は、外周部にレバー７４ｂが固設されている。
【００５１】
版胴４１ａは、ギャップ部７２に隣接してばね支持部材７５が設けられ、ガイド孔７５ａにガイド軸７６が軸方向に移動自在に嵌合している。圧縮コイルばね７７は、ガイド軸７６の周囲に配置され、ばね支持部材７５とガイド軸７６の頭部７６ａとの間に張設されている。そして、テンションバー７４におけるレバー７４ｂとガイド軸７６の頭部７６ａとが連結軸７８により回動自在に連結されている。そのため、テンションバー７４は、圧縮コイルばね７７の付勢力により、図８の反時計回り方向に付勢され、係止爪７４ａが刷版７１の咥え尻側端部７１ｃに係止する方向に付勢支持されている。
【００５２】
また、係止爪作動シリンダ（例えば、エアシリンダや油圧シリンダなど）７９は、版胴４１ａの外周側に配置されており、版胴４１ａ側に向いた係止爪作動ロッド７９ａをロッドの軸方向に移動可能となっている。係止爪作動ロッド７９ａは、版締め装置７３のガイド軸７６（頭部７６ａ）を押圧可能である。
【００５３】
なお、版締め装置７３と係止爪作動シリンダ７９は、版胴４１ａにおける軸方向の端部側に配置されており、係止爪作動シリンダ７９は、図示しない印刷機フレームに支持されている。なお、係止爪作動シリンダ７９は、エアシリンダや油圧シリンダに限るものではなく、モータなどであってもよい。
【００５４】
本実施形態の版交換装置は、上述した版締め装置７３や係止爪作動シリンダ７９などを用いた半自動式となっている。そのため、刷版７１を版胴４１ａに装着する場合、まず、版胴を版取付け位置へ回動する（ギャップ部７２の頭出し）。その後、作業者が刷版７１の咥え側端部７１ａを版胴４１ａの咥え部７２ａに係止し、ここで、版取付け操作スイッチをＯＮとする。すると、版押えローラ（図示略）が刷版７１の咥え側端部７１ａ側の外周面を押圧し、この状態で、版胴４１ａが図８の時計回り方向に回転することで、刷版７１は、版胴４１ａの外周面に巻き付けられていき、版胴４１ａは、刷版７１の咥え尻側屈曲部７１ｂ及び咥え尻側端部７１ｃがギャップ部７２の外方に位置する角度で停止する。ここで、まず、係止爪作動シリンダ７９が作動して係止爪作動ロッド７９ａが伸長し、ガイド軸７６を押圧する。すると、テンションバー７４は、圧縮コイルばね７７の付勢力に抗して図８の時計回り方向に回動し、係止爪７４ａが刷版７１の咥え尻側端部７１ｃから離脱する解除位置に移動する。次に、咥え尻ローラ（図示略）が刷版７１の咥え尻側屈曲部７１ｂ側の外周面を押圧し、咥え尻側屈曲部７１ｂ及び咥え尻側端部７１ｃをギャップ部７２内に押し込む。そして、係止爪作動シリンダ７９が作動して係止爪作動ロッド７９ａが収縮すると、この係止爪作動ロッド７９ａがガイド軸７６から離間し、テンションバー７４が圧縮コイルばね７７の付勢力により図８の反時計回り方向に回動し、係止爪７４ａが刷版７１の咥え尻側端部７１ｃに係止し、刷版７１が版胴４１ａの外周面に拘束される。
【００５５】
一方、刷版７１を版胴４１ａから取り外す場合、まず、版胴を版取外し位置へ回動する（ギャップ部７２の頭出し）。その後、版取外し操作スイッチをＯＮとすると、図９に示すように、係止爪作動シリンダ７９が作動して係止爪作動ロッド７９ａが伸長し、ガイド軸７６を押圧する。すると、テンションバー７４は、圧縮コイルばね７７の付勢力に抗して図９の時計回り方向に回動し、係止爪７４ａが刷版７１の咥え尻側端部７１ｃから離脱する解除位置に移動する。そして、刷版７１は、咥え尻側端部７１ｃの拘束が解除されることから、自身の弾性力により咥え尻側屈曲部７１ｂ及び咥え尻側端部７１ｃがギャップ部７２から抜け出し、版胴４１ａ外方に移動する。ここで、版胴４１ａは、図９の反時計回り方向に回動し、外周面から刷版７１が取り外される。版胴４１ａの回転が停止した後、作業者は、咥え側端部７１ａが版胴４１ａの咥え部７２ａに係止している刷版７１を取外す。
【００５６】
次に、本実施形態の版交換支援システムについて説明する。図１は、本実施形態の版交換支援システムを表す制御ブロック構成図、図２は、本実施形態の版交換支援システムに用いる表示装置を表す概略図、図３は、版交換支援システムに用いる表示装置における印刷ユニットの表示状態を表す概略図である。
【００５７】
本実施形態の版交換支援システムにおいて、図１に示すように、印刷機Ｐは、各印刷ユニットＵ１，Ｕ２，Ｕ３，Ｕ４，Ｕ５を有し、それぞれ主機盤１１，１２，１３，１４，１５が接続されている。各印刷ユニットＵ１，Ｕ２，Ｕ３，Ｕ４，Ｕ５は、それぞれ主機モータを有し、各主機盤１１，１２，１３，１４，１５に設けられたアンプにより駆動制御可能となっている。また、各印刷ユニットＵ１，Ｕ２，Ｕ３，Ｕ４，Ｕ５は、それぞれ版交換装置１６，１７，１８，１９，２０が設けられている。
【００５８】
そして、各主機盤１１，１２，１３，１４，１５は、主幹コントローラを有する制御装置（主幹盤）１０１に接続されている。制御装置１０１は、各主機盤１１，１２，１３，１４，１５を介して各印刷ユニットＵ１，Ｕ２，Ｕ３，Ｕ４，Ｕ５の主機モータを駆動制御可能であると共に、各版交換装置１６，１７，１８，１９，２０を制御可能となっている。
【００５９】
印刷機運転操作パネル１０２は、各印刷ユニットＵ１，Ｕ２，Ｕ３，Ｕ４，Ｕ５の主機モータを駆動するための各種の操作スイッチが設けられている。印刷機運転操作パネル１０２は、例えば、印刷機運転開始スイッチ、印刷機運転停止スイッチ、各印刷ユニットＵ１，Ｕ２，Ｕ３，Ｕ４，Ｕ５の単独運転するための単独運転切替スイッチ、各印刷ユニットＵ１，Ｕ２，Ｕ３，Ｕ４，Ｕ５を連結運転するための連結運転切替スイッチ、その他に各胴の移動や単独駆動のためのスイッチなどが設けられている。また、版交換操作パネル１０３は、各版交換装置１６，１７，１８，１９，２０を駆動するための版取付け操作スイッチと版取外し操作スイッチなどが設けられている。印刷機運転操作パネル１０２及び版交換操作パネル１０３は、作業者により操作可能であり、操作信号が制御装置１０１に出力される。
【００６０】
表示装置１０４は、制御装置１０１からの情報を表示するものであり、本実施形態では、各印刷ユニットＵ１，Ｕ２，Ｕ３，Ｕ４，Ｕ５の版交換状況を表示可能となっている。なお、印刷機運転操作パネル１０２、版交換操作パネル１０３、表示装置１０４は、各印刷ユニットＵ１，Ｕ２，Ｕ３，Ｕ４，Ｕ５に設けられていてもよいし、印刷ユニットＵ１，Ｕ２，Ｕ３，Ｕ４，Ｕ５を１箇所で集中管理してもよい。本実施形態の印刷装置Ｕは、２色刷り可能な印刷ユニットＵ１，Ｕ２，Ｕ３と４色刷り可能な印刷ユニットＵ４，Ｕ５を備えており、各印刷ユニットＵ１，Ｕ２，Ｕ３，Ｕ４，Ｕ５は、表裏を同時に印刷可能な形式となっている。そして、各印刷ユニットＵ１，Ｕ２，Ｕ３，Ｕ４，Ｕ５は、スタックごとに１つの主機モータが設けられ、１つの主機モータにより表裏の各版胴などを駆動回転可能であるスタック駆動方式となっている。
【００６１】
このスタック駆動方式の各印刷ユニットＵ１，Ｕ２，Ｕ３，Ｕ４，Ｕ５は、例えば、表面印刷用の版胴に対して版交換作業を実施するとき、裏面印刷用の版胴に対する版交換作業を実施することはできない。即ち、版交換時に、版交換を実施する印刷ユニットと他の印刷ユニットとの連結駆動を解除することで、版交換を実施する印刷ユニットを独立して単独駆動可能とする。そして、版交換を実施する印刷ユニットにて、ブランケット胴や各インキ着ローラに対して版胴を離間させ、この状態で版胴を単独で回転して刷版の取外しや取付けを行う。つまり、表面印刷用の版胴に刷版を取外すときに、表面印刷用の版胴を回転すると、裏面印刷用の版胴も回転するため、このとき、裏面印刷用の版胴に対して版交換作業を実施できない。
【００６２】
また、版胴は、軸方向に複数枚（例えば、４枚）の刷版を装着可能となっている。刷版は、製版装置が製版データに基づいて製作するものであり、製作された刷版は、刷版ラックに掛けられて収容されている。しかし、新聞は、記事の内容に応じて製版装置への製版データの入力時期が相違する。例えば、広告や社説などの記事は、早期に製作されて製版装置へ入力されるが、トップニュースなどの記事は、印刷の直前まで決まらず、また、差し替えられることがあることから、製版装置への入力が遅れる。そのため、同じ版胴へ取付ける４枚の刷版が同時期に製作されるとは限らない。他の刷版が製作され、版交換が終わっていても、トップニュースなどの記事（最終面）が製作されるまでの間、作業者はずっと待機し、最終面が製作されたら、短時間で版交換を実施する。最終面が複数ある場合は、作業者の負担はさらに大きくなる。また、新聞の地方面のように、全頁の中の一部を差し替える場合（替面）は、各ユニットのどの版胴に対してどの刷版を取付けるか、各ユニットの版交換を実施する版胴の位置を把握して、効率よく版交換を実施する必要がある。版交換作業を実施する場合、版胴に対して同時に４枚の刷版を取付けることが作業性の面で好ましい。ところが、作業者が刷版の製作状況を把握していないと、同じ版胴に対して何度も版取付け作業が実施されたり、待ち時間が長くなったりしてしまい、作業性が良くない。
【００６３】
本実施形態の版交換支援システム及び版交換支援システムに用いる表示装置は、版交換可能な印刷ユニットや不可能な印刷ユニットを表示することで、作業者に対して版交換する印刷ユニットを指示するものであり、版交換作業を効率的に実施することで、版交換作業の作業時間を短縮して作業性の向上を図るものである。
【００６４】
本実施形態の版交換支援システムは、印刷情報に基づいて版交換作業実施中エリアと版交換作業可能エリアと版交換作業実施不能エリアとを判定する判定部としての制御装置１０１と、制御装置１０１の判定結果を表示する表示部としての表示装置１０４とを備えている。
【００６５】
ここで、印刷情報とは、主に、印刷ユニットの形式情報、版胴に装着される刷版の製版情報、刷版の版交換情報である。印刷ユニットの形式情報とは、印刷機Ｐが鉛直方向及び水平方向に並んで複数並んで配置された５つの印刷ユニットＵ１，Ｕ２，Ｕ３，Ｕ４，Ｕ５から構成され、印刷ユニットＵ１，Ｕ２，Ｕ３が２色刷り可能であり、印刷ユニットＵ４，Ｕ５が４色刷りである情報である。また、印刷ユニットの形式情報とは、各印刷ユニットＵ１，Ｕ２，Ｕ３，Ｕ４，Ｕ５が表裏を同時に印刷可能な形式であると共に、スタックごとに設けられた１つの主機モータにより表裏の各版胴などを駆動回転可能なスタック駆動方式である情報である。
【００６６】
また、版胴に装着される刷版の製版情報とは、刷版の製版情報とは、装着する版胴に対して所定枚数の刷版が製作済であるかどうかの情報である。また、製版装置が刷版を製作して刷版ラックに収容する予定時間の情報である。更に、刷版の版交換情報とは、各ユニットの版交換時に、どの版胴に対してどの刷版を取付けるかの情報である。また、刷版の版交換情報とは、各ユニットの版交換時に、版交換を実施する版胴または版胴の位置の情報である。
【００６７】
表示装置１０４は、図２に示すように、各印刷ユニットＵ１，Ｕ２，Ｕ３，Ｕ４，Ｕ５を模式的に表示可能となっている。この場合、印刷ユニットＵ１，Ｕ２，Ｕ３及び印刷ユニットＵ４，Ｕ５の下段が２階の床面Ｇ２に設置され、印刷ユニットＵ４，Ｕ５の上段が３階の床面Ｇ３に設置されている。印刷機Ｐは、各印刷ユニットＵ１，Ｕ２，Ｕ３，Ｕ４，Ｕ５に隣接して版交換作業などの各種作業を実施するための複数の作業エリアＡが設けられている。印刷ユニットＵ１の両側に作業エリアＡ１１，Ａ１２が設けられ、印刷ユニットＵ２の両側に作業エリアＡ２１，Ａ２２が設けられ、印刷ユニットＵ３の両側に作業エリアＡ３１，Ａ３２が設けられている。また、印刷ユニットＵ４の両側で上下にわたって作業エリアＡ４１，Ａ４２，Ａ４３，Ａ４４が設けられ、印刷ユニットＵ５の両側で上下にわたって作業エリアＡ５１，Ａ５２，Ａ５３，Ａ５４が設けられている。
【００６８】
表示装置１０４は、複数の作業エリアＡを制御装置１０１が判定したエリアとして表示する。ここで、上述した版交換作業実施中エリアとは、実際に版交換作業を実施している印刷ユニットに対応する作業エリアＡである。図２では、作業者Ｘが作業を行っているＡ３１と作業者Ｙが作業を行っているＡ４２が版交換作業実施中エリアである。また、版交換作業可能エリアとは、隣接する印刷ユニットが版交換作業を実施中ではなく、且つ、版胴に取付ける刷版が全て製作済である印刷ユニットに対応する作業エリアＡである。図２では、Ａ４１が版交換作業可能エリアである。
【００６９】
更に、版交換作業実施不能エリアとは、版交換作業機械的実施不能エリアと、版交換作業未製版実施不能エリアとを有する。版交換作業機械的実施不能エリアとは、隣接する印刷ユニットが版交換作業を実施中であって機械的に版交換作業を実施できない印刷ユニットに対応する作業エリアＡである。図２では、作業者Ｘが作業を行っているＡ３１に隣接するＡ３２と作業者Ｙが作業を行っているＡ４２に隣接するＡ４４が版交換作業機械的実施不能エリアである。版交換作業未製版実施不能エリアとは、版胴に取付ける刷版が全て製作されていない印刷ユニットに対応する作業エリアＡである。図２では、Ａ４３、Ａ４４、Ａ５１、Ａ５２、Ａ５３、Ａ５４が版交換作業未製版実施不能エリアである。なお、複数の作業エリアの中で制御装置１０１が版交換不要なエリアと判定したエリアは識別表示されないが、識別表示させてもよい。図２では、Ａ１２とＡ２２が版交換不要のエリアである。
【００７０】
具体的に説明すると、本実施形態の印刷ユニットＵ１，Ｕ２，Ｕ３，Ｕ４，Ｕ５は、スタック駆動方式である。そのため、例えば、印刷ユニットＵ３の裏面印刷側（図２の右側）の版胴に対して版交換作業を実施するとき、制御装置１０１は、この印刷ユニットＵ３の裏面印刷側の版胴に対応する作業エリアＡ３１を版交換作業実施中エリアと判定する。また、制御装置１０１は、この印刷ユニットＵ３の表面印刷側（図２の左側）の版胴に対応する作業エリアＡ３２を版交換作業機械的実施不能エリア（版交換作業実施不能エリア）と判定する。この場合、安全を考慮して作業エリアＡ３２の上方にある作業エリアＡ４１も版交換作業機械的実施不能エリア（版交換作業実施不能エリア）に判定してもよい。
【００７１】
また、制御装置１０１は、刷版の製版情報と刷版の版交換情報に基づいて版交換作業可能エリアを判定する。この場合、更に、制御装置１０１は、刷版の製版情報に基づいて版交換作業未製版実施不能エリアを判定する。また、制御装置１０１は、刷版の版交換情報に基づいて版交換作業完了エリアを判定する。
【００７２】
なお、版交換操作パネル１０３は、版取付け操作スイッチと版取外し操作スイッチが設けられていることから、制御装置１０１は、版交換操作パネル１０３からの版取付け信号や版取外し信号に基づいて版交換の作業中であるかを判定する。また、印刷機Ｐの運転中は、連結運転切替スイッチがＯＮとなって、印刷ユニットＵ１，Ｕ２，Ｕ３，Ｕ４，Ｕ５が連結運転中であり、版交換時は、単独運転切替スイッチをＯＮとして印刷ユニットＵ１，Ｕ２，Ｕ３，Ｕ４，Ｕ５を単独運転に切り替えることから、この連結運転切替スイッチ及び単独運転切替スイッチのＯＮ（ＯＦＦ）信号により版交換の作業中であるかを判定してもよい。更に、製版装置は、製版データに基づいて刷版を製作し、製作された刷版は、刷版ラックへ収容されることから、制御装置１０１は、製版装置からの刷版製作完了データや刷版ラックに設けられた刷版検出装置の検出信号により刷版の製作状況を判定する。なお、作業者は、製版装置により刷版が製作されて刷版ラックに収容されると、その刷版を取付ける印刷ユニットの近傍に配置することがある。この場合であっても、印刷ユニットにおける刷版の配置位置に刷版検出装置を設ければよい。また、制御装置１０１は、作業者が刷版を刷版ラックから持ち出したことを刷版ラックに設けられた刷版検出装置の検出信号により検出することで、刷版交換作業中であると判定することができる。
【００７３】
表示装置１０４は、例えば、液晶ディスプレイであり、上述した各エリアを色別表示する。例えば、版交換作業完了エリアを水色、版交換作業実施中エリアを黄色、版交換作業機械的実施不能エリアを赤色、版交換作業未製版実施不能エリアを橙色、版交換作業可能エリアを青色で表示する。なお、版交換作業機械的実施不能エリア（赤色）と版交換作業未製版実施不能エリア（橙色）とは、版交換作業機械的実施不能エリア（赤色）が優先的に表示される。この場合、制御装置１０１は、製版装置により製作された刷版の刷版ラックへの収容予定時間の情報が入力されることから、収容予定時間に近づいたら（収容予定時間の数分前）、橙色に表示された版交換作業未製版実施不能エリアを点滅させることで、所定時間が経過したら橙色（版交換作業未製版実施不能エリア）が青色（版交換作業可能エリア）に変更されることを作業者に知らせるようにしてもよい。
【００７４】
また、表示装置１０４は、前述した版交換作業実施中エリア、版交換作業可能エリア、版交換作業実施不能エリアなどを表示する第１表示部（図２）と、１つの版胴における刷版の交換状況を表示する第２表示部（図３）とを図示しない切替スイッチにより切替え可能となっている。また、第１表示部の中には、版交換作業の作業順位を表示する第３表示部も合せて表示される。具体的に、図２の（１）〜（１２）として表している。
【００７５】
図３に示すように、表示装置１０４は、印刷ユニットＡ５１，Ａ５２（Ｕ５の右側）とＡ４３，Ａ４４（Ｕ４の左側）における各版胴４１ａ，４１ｂ，４２ａ，４２ｂ，４３ａ，４３ｂ，４４ａ，４４ｂにおける刷版の交換状況を第２表示部１０４Ａに表示することができる。また、関連する頁（頁割り）も合せて表示する。関連する頁（頁割り）も合せて表示することで、作業者が刷版を刷版ラックから持ち出す際に、取り付ける刷版を間違うことなく、効率的に版交換作業を行うことができる。例えば、版胴４１ａは、軸方向に並んだ４つの領域４１ａ−１，４１ａ−２，４１ａ−３，４１ａ−４に刷版を装着可能となっている。そのため、制御装置１０１は、版交換時に、版交換が必要である場合、版取外し前状態、版取外し中状態、版取外し後状態、版取付け中状態、版取付け済状態の５状態を判定する。また、版交換が不要である場合、版交換不要状態を判定する。表示装置１０４は、制御装置１０１の判定結果を第２表示部１０４Ａに色別表示する。
【００７６】
そのため、制御装置１０１は、作業者が印刷機運転操作パネル１０２の印刷機運転停止スイッチが操作されて印刷が終了し、版交換を実施するために単独運転切替スイッチが操作されて各印刷ユニットＵ１，Ｕ２，Ｕ３，Ｕ４，Ｕ５が単独運転可能となると、各印刷ユニットＵ１，Ｕ２，Ｕ３，Ｕ４，Ｕ５の版交換状況のデータを表示装置１０４に出力し、表示装置１０４は、この各印刷ユニットＵ１，Ｕ２，Ｕ３，Ｕ４，Ｕ５の版交換状況を表示する。
【００７７】
即ち、印刷ユニットの形式情報と版胴に装着される刷版の製版情報と刷版の版交換情報などの印刷情報に基づいて版交換実施完了エリアと版交換作業実施中エリアと版交換作業可能エリアと版交換作業機械的実施不能エリアと版交換作業未製版実施不能エリアとを判定し、表示装置１０４は、各エリアを液晶ディスプレイに表示する。そのため、作業者は、表示装置１０４の液晶ディスプレイに表示された各印刷ユニットＵ１，Ｕ２，Ｕ３，Ｕ４，Ｕ５の版交換状況を見て、版交換作業実施可能エリアに対応する印刷ユニットを確認し、版交換作業を実施する。
【００７８】
また、図２に示すように、表示装置１０４は、印刷ユニットＵ１，Ｕ２，Ｕ３，Ｕ４，Ｕ５における版交換作業の作業順位を第３表示部１０４Ｂに表示することができる。図２の例では、作業順位（１）のＡ１１と作業順位（２）のＡ１２は、版交換実施完了エリアである。Ａ３１とＡ４２が版交換作業実施中エリアである。作業者Ｘは作業順位（３）Ａ３１の版交換を実施中である。作業者ＸがＡ３１の版交換を行っているため、Ａ３２が版交換作業機械的実施不能エリアになるので、作業順位（４）はＡ４２となり、作業者ＹはＡ４２の版交換を実施する。その後、作業順位（５）（６）の版交換を実施する。また、版交換作業未製版実施不能エリアのＡ４３、Ａ４４、Ａ５１、Ａ５２、Ａ５３について製版完了すると、版交換作業実施可能エリアの版交換作業を作業順位に従って実施する。その際、Ａ４４とＡ５２、Ａ４３とＡ５１は作業が干渉するエリアとなるため、作業者Ｘと作業者Ｙは同時に版交換を行わないように作業順位が表示される。
【００７９】
Ａ５４は、新聞のトップニュースなど最後に記事が決定する頁（最終面）の刷版を取付けることを予定している版胴である。Ａ５４については、最後に取付ける予定の最終面（刷版）を制御装置１０１に予め登録（設定）しておくことにより、最終面以外の製版が完了した時点で版交換作業未製版実施不能エリアから版交換作業可能エリアに一旦変更になり、最終面以外の版交換作業が実施可能となる。そして、最終面以外の版交換が完了すれば、また版交換作業未製版実施不能エリアに戻る。最終面については記事が決まった時点で、再度、版交換作業未製版実施不能エリアから版交換作業可能エリアに変更になるので、残っていた最終面の版交換を行い、版交換作業を完了する。
【００８０】
また、版交換作業をより短時間で効率的に行うため、版交換作業可能エリアにおける次の作業順位の版交換準備作業を開始してもよい。つまり、版交換装置を駆動する制御装置１０１は、第２表示部から１つの版胴における刷版の交換状況を、第３表示部から版交換作業の作業順位の情報を得ることで、版交換作業中に次の作業順位の版胴について版交換準備作業を開始することができる。版交換準備作業とは、版胴を版取外し位置へ回動するギャップ部７２の頭出しや係止爪７４ａを刷版７１の咥え尻側端部７１ｃから離脱する解除位置に移動する作業などである。
【００８１】
なお、各印刷ユニットＵ１，Ｕ２，Ｕ３，Ｕ４，Ｕ５に対する版交換方法は、上述したものに限るものではなく、表示装置１０４は、その版交換方法に対応した表示を行うことができる。図４は、本実施形態の版交換支援システムに用いる表示装置の第１変形例を表す概略図である。
【００８２】
図４に示すように、表示装置１０４は、各印刷ユニットＵ１，Ｕ２，Ｕ３，Ｕ４，Ｕ５を模式的に表示可能となっている。印刷機Ｐは、各印刷ユニットＵ１，Ｕ２，Ｕ３，Ｕ４，Ｕ５に隣接して版交換作業などの各種作業を実施するための複数の作業エリアＡが設けられている。印刷ユニットＵ１の一方側に作業エリアＡ１が設けられ、印刷ユニットＵ１，Ｕ２の間に作業エリアＡ２が設けられ、印刷ユニットＵ２，Ｕ３の間に作業エリアＡ３が設けられている。また、印刷ユニットＵ３，Ｕ４の間で上下にわたって作業エリアＡ４１，Ａ４２が設けられ、印刷ユニットＵ４，Ｕ５の間で上下にわたって作業エリアＡ５１，Ａ５２が設けられ、印刷ユニットＵ５の他方側に作業エリアＡ５３，Ａ５４が設けられている。
【００８３】
上述した本実施形態は、１つの印刷ユニットにおける表面印刷側の版胴または裏面印刷側の版胴に対して同時に版交換を実施するものであるが、この第１変形例は、１つの印刷ユニットにおける表面印刷側の版胴及び裏面印刷側の版胴に対して同時に版交換を実施するものである。そのため、例えば、印刷ユニットＵ２の表面印刷側（図４の左側）の版胴及び印刷ユニットＵ３の裏面印刷側（図４の右側）の版胴に対して版交換作業を実施するとき、制御装置１０１は、この印刷ユニットＵ２の表面印刷側の版胴と印刷ユニットＵ３の裏面印刷側の版胴に対応する作業エリアＡ３を版交換作業実施中エリアと判定する。また、制御装置１０１は、この印刷ユニットＵ２の裏面印刷側の版胴に対応する作業エリアＡ２と印刷ユニットＵ３の表面印刷側の版胴に対応する作業エリアＡ４２とを版交換作業機械的実施不能エリア（版交換作業実施不能エリア）と判定する。
【００８４】
また、上述した実施形態では、表示装置１０４をディスプレイとしたが、この構成に限定されるものではない。図５は、本実施形態の版交換支援システムに用いる表示装置の第２変形例を表す概略図である。
【００８５】
第２変形例の表示装置は、各印刷ユニットＵ１，Ｕ２，Ｕ３，Ｕ４，Ｕ５に設けられる表示ランプ１１１，１１２，１１３，１１４，１１５，１１６，１１７，１１８，１１９，１２０，１２１，１２２，１２３，１２４である。そして、この表示装置は、版交換作業実施中エリア、版交換作業可能エリア、版交換作業実施不能エリアなどを表示ランプ１１１，１１２，１１３，１１４，１１５，１１６，１１７，１１８，１１９，１２０，１２１，１２２，１２３，１２４の点灯状態により表示する。例えば、版交換作業実施中エリアは点滅、版交換作業可能エリアは点灯、版交換作業実施不能エリアは消灯などとして表示する。また、上述した実施形態のように、各エリアを色別表示するようにしてもよい。また、表示ランプを版交換作業実施中エリアは２つ点灯、版交換作業可能エリアは３つ点灯、版交換作業実施不能エリアは消灯などと点灯するランプの数で表示するようにしてもよい。
【００８６】
このように本実施形態の版交換支援システムにあっては、印刷ユニットＵ１，Ｕ２，Ｕ３，Ｕ４，Ｕ５の形式情報と版胴４１ａ，４１ｂ，４２ａ，４２ｂ，４３ａ，４３ｂ，４４ａ，４４ｂに装着される刷版７１の製版情報と刷版７１の版交換情報に基づいて版交換作業実施中エリアと版交換作業可能エリアと版交換作業実施不能エリアとを判定する制御装置（判定部）１０１と、制御装置１０１の判定結果を表示する表示装置（表示部）１０４とを備えている。
【００８７】
従って、制御装置１０１が版交換作業実施中エリアと版交換作業可能エリアと版交換作業実施不能エリアとを判定し、表示装置１０４がこの判定結果を表示することとなり、作業者は、この表示装置１０４を見て版交換作業可能エリアに対応する印刷ユニットを確認し、この印刷ユニットに対する版交換を実施する。その結果、作業者は、複数の印刷ユニットＵ１，Ｕ２，Ｕ３，Ｕ４，Ｕ５の状況を確認する必要がなく、表示装置１０４を見るだけで版交換を実施する印刷ユニットを確認することができ、版交換作業の作業性の向上を図ることができる。また、版交換作業可能エリアを表示するときには、関連する頁（頁割り）も合せて表示する。関連する頁（頁割り）も合せて表示することで、作業者が刷版を刷版ラックから持ち出す際に、取り付ける刷版を間違うことなく、作業性を向上することができる。また、１つの版胴だけでなく輪転機頁割付に基づく「印刷ユニット版交換作業エリア」単位を意識した版交換を行うことで、より効率的な版交換作業が可能となる。
【００８８】
本実施形態の版交換支援システムでは、スタック駆動方式の場合、表印刷用の版胴と裏印刷用の版胴の一方の版胴の版交換作業を実施するとき、制御装置１０１は、一方の版胴の版交換作業で使用されるエリアを版交換作業実施中エリアと判定し、他方の版胴の版交換作業で使用されるエリアを版交換作業実施不能エリアと判定する。従って、機械的に版交換を実施できない印刷ユニットに対応する作業エリアを使用不能として十分な安全性を確保することができる。
【００８９】
本実施形態の版交換支援システムでは、版交換作業実施不能エリアとして、機械的に版交換作業を実施できない版交換作業機械的実施不能エリアと、１つの版胴に取付ける刷版が全て製作されていない版交換作業未製版実施不能エリアとを設けている。従って、機械的に版交換作業を実施できない版交換作業機械的実施不能エリアに加えて、刷版が製作されていない版交換作業未製版実施不能エリアを表示することから、作業者は、全ての刷版が製作されるまで、他の各種作業を行うことができ、１つの版胴に対して複数回の版交換作業を行うことがなく、版交換作業の作業性を向上することができる。
【００９０】
本実施形態の版交換支援システムでは、版交換作業可能エリアを、隣接する印刷ユニットが版交換作業を実施中ではなく、且つ、１つの版胴に取付ける刷版が全て製作済であるエリアとしている。従って、機械的に版交換作業を実施できるだけでなく刷版が全て製作済である印刷ユニットに対応するエリアを版交換作業可能エリアとして表示することから、作業者は、効率良く版交換作業を行うことができる。
【００９１】
本実施形態の版交換支援システムでは、版交換作業可能エリアとして、隣接する印刷ユニットが版交換作業を実施中ではなく、且つ、１つの版胴に取付ける刷版が予め設定した刷版以外は全て製作済であるエリアを設けている。従って、機械的に版交換作業を実施できるだけでなく１つの版胴に取付ける刷版が予め設定した刷版以外は全て製作済である印刷ユニットに対応するエリアを版交換作業可能エリアとして表示することから、作業者は、新聞のトップニュースなどの最終面以外の刷版を先に版交換することができるため、無駄な待ち時間が無く、効率良く版交換作業を行うことができる。
【００９２】
本実施形態の版交換支援システムでは、表示装置１０４をディスプレイとし、版交換作業実施中エリアと版交換作業可能エリアと版交換作業実施不能エリアを色などで識別表示する。従って、視認性を向上することができる。
【００９３】
本実施形態の版交換支援システムでは、版交換作業実施中エリアと版交換作業可能エリアと版交換作業実施不能エリアを表示する第１表示部と、１つの版胴における刷版の交換状況を表示する第２表示部とを設けている。従って、作業者は、版交換を行う刷版の枚数を確認することで、作業性を向上することができる。
【００９４】
本実施形態の版交換支援システムでは、第２表示部は、版交換作業実施不能エリアが版交換作業可能エリアに変更される時間を予測表示する。従って、作業者は、予測時間に合せて次の版交換作業の準備を開始することができるため、作業性を向上することができる。
【００９５】
本実施形態の版交換支援システムでは、表示装置１０４は、版交換作業可能エリアにおける版交換作業の作業順位を表示する第３表示部を設けている。従って、作業者は、ガイダンスに合せて印刷ユニット内を移動することで、より効率的に版交換作業を行うことができる。
【００９６】
本実施形態の版交換支援システムでは、版交換装置を駆動する制御装置１０１を備え、制御装置１０１は、版交換作業可能エリアにおける次の作業順位の版交換準備作業を開始する。従って、制御装置１０１は、第２表示部から１つの版胴における刷版の交換状況を、第３表示部から版交換作業の作業順位の情報を得ることで、版交換作業中に次の作業順位の版胴について版交換準備作業を開始することにより、より効率的に版交換作業を行うことができる。
【００９７】
本実施形態の版交換支援システムでは、表示装置１０４を各印刷ユニットＵ１，Ｕ２，Ｕ３，Ｕ４，Ｕ５に設けられる表示ランプ１１１，１１２，１１３，１１４，１１５，１１６，１１７，１１８，１１９，１２０，１２１，１２２，１２３，１２４とし、版交換作業実施中エリアと版交換作業可能エリアと版交換作業実施不能エリアを点灯状態により表示する。従って、作業者は、各印刷ユニットＵ１，Ｕ２，Ｕ３，Ｕ４，Ｕ５に設けられる表示ランプ１１１，１１２，１１３，１１４，１１５，１１６，１１７，１１８，１１９，１２０，１２１，１２２，１２３，１２４の点灯状態により版交換作業実施中エリアと版交換作業可能エリアと版交換作業実施不能エリアを確認することができ、どの位置からでも版交換作業可能エリアを知ることができ、作業性を向上することができる。
【００９８】
また、本実施形態の版交換支援システムに用いる表示装置にあっては、印刷ユニットの版交換を実施している版交換作業実施中エリアと、隣接する印刷ユニットが版交換作業を実施中であるかまたは１つの版胴に取付ける刷版が全て製作されていない版交換作業実施不能エリアと、隣接する印刷ユニットが版交換作業を実施中ではなく且つ１つの版胴に取付ける刷版が全て製作済である版交換作業可能エリアとを表示する。
【００９９】
従って、作業者は、複数の印刷ユニットＵ１，Ｕ２，Ｕ３，Ｕ４，Ｕ５の状況を確認する必要がなく、表示装置１０４を見るだけで版交換を実施する印刷ユニットを確認することができ、版交換作業の作業性の向上を図ることができる。
【０１００】
なお、上述した実施形態では、各印刷ユニットＵ１，Ｕ２，Ｕ３，Ｕ４，Ｕ５におけるスタックごとに１つの主機モータが設けられるスタック駆動方式の印刷ユニットを用いて説明したが、この方式の印刷ユニットに限定されるものではない。例えば、２つのスタックに対して１つの主機モータが設けられる２スタック駆動方式の印刷ユニットや１つのスタックに対して表裏それぞれに主機モータが設けられるカップル駆動方式の印刷ユニットであってもよい。
【符号の説明】
【０１０１】
Ｐ  新聞用オフセット輪転印刷機（印刷機）
Ｒ  給紙装置
Ｒ１，Ｒ２，Ｒ３，Ｒ４，Ｒ５  給紙ユニット
Ｉ  インフィード装置
Ｉ１，Ｉ２，Ｉ３，Ｉ４，Ｉ５  インフィードユニット
Ｕ  印刷装置
Ｕ１，Ｕ２，Ｕ３，Ｕ４，Ｕ５  印刷ユニット
Ｄ  ウェブパス装置
Ｄ１  ウェブパスユニット
Ｄ１１  スリッタ
Ｄ１２  ターンバー
Ｄ１３  コンペンセータ
Ｆ  折機
Ｆ１，Ｆ２  折ユニット
１１，１２，１３，１４，１５  主機盤
１６，１７，１８，１９，２０  版交換装置
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
７１  刷版
７３  版締め装置
７４  テンションバー
７７  圧縮コイルばね
７９  係止爪作動シリンダ
１０１  制御装置（判定部）
１０２  印刷機運転操作パネル
１０３  版交換操作パネル
１０４，１０４Ａ  表示装置（表示部）
１１１，１１２，１１３，１１４，１１５，１１６，１１７，１１８，１１９，１２０，１２１，１２２，１２３，１２４  表示ランプ
Ａ１，Ａ２，Ａ３，Ａ１１，Ａ１２，Ａ２１，Ａ２２，Ａ３１，Ａ３２，Ａ４１，Ａ４２，Ａ４３，Ａ４４，Ａ５１，Ａ５２，Ａ５３，Ａ５４  作業エリア
Ｗ  ウェブ（巻取紙）
【図１】
2018140532.tif 000003
【図２】
2018140532.tif 000004
【図３】
2018140532.tif 000005
【図４】
2018140532.tif 000006
【図５】
2018140532.tif 000007
【図６】
2018140532.tif 000008
【図７】
2018140532.tif 000009
【図８】
2018140532.tif 000010
【図９】
2018140532.tif 000011